(57)【要約】【課題】電界方式の液晶表示装置において、開口率を向上させる。【解決手段】液晶表示装置は、第１の方向に延伸する第１のデータ線と、前記第１の方向に並べて配置された第１の画素電極と、第２の画素電極と、前記第１の画素電極に接続された第１のトランジスタと、前記第２の画素電極に接続された第２のトランジスタと、前記第１のトランジスタと前記第２のトランジスタとに電気的に接続される第１のゲート線と、を含み、前記第１の画素電極は、前記第１の方向に沿う第１の長さが、前記第１の方向と垂直方向の第２の方向に沿う第２の長さよりも短く、前記第１の画素電極は、少なくとも１のスリットを有し、前記スリットは、前記第２の方向に対して、４５度以下の角度方向に延伸する。【選択図】図２
2019144489.tif 000002
【特許請求の範囲】
【請求項１】
第１の方向に延伸する第１のデータ線と、
前記第１の方向に並べて配置された第１の画素電極と、第２の画素電極と、
前記第１の画素電極に接続された第１のトランジスタと、
前記第２の画素電極に接続された第２のトランジスタと、
前記第１のトランジスタと前記第２のトランジスタとに電気的に接続される第１のゲート線と、を含み、
前記第１の画素電極は、前記第１の方向に沿う第１の長さが、前記第１の方向と垂直方向の第２の方向に沿う第２の長さよりも短く、前記第１の画素電極は、少なくとも１のスリットを有し、前記スリットは、前記第２の方向に対して、４５度以下の角度方向に延伸する、
液晶表示装置。
【請求項２】
前記第１の方向に延伸する第２のデータ線を更に含み、
前記第１のデータ線が、前記第１のトランジスタに接続され、
前記第２のデータ線が、前記第２のトランジスタに接続された、
請求項１に記載の液晶表示装置。
【請求項３】
前記第１の方向において、前記第１の画素電極および前記第２の画素電極と並べて配置された第３の画素電極と、
前記第１の方向に延伸する第３のデータ線と、
前記第３の画素電極と前記第３のデータ線とに接続する第３のトランジスタと、を更に含み、
前記第２の画素電極は、前記第１の画素電極及び前記第３の画素電極と隣接して配置され、
前記第３のトランジスタは、前記第１のゲート線と電気的に接続される、
請求項２に記載の液晶表示装置。
【請求項４】
前記第２のデータ線は、前記第３のトランジスタを迂回する蛇行部を有する、
請求項３に記載の液晶表示装置。
【請求項５】
前記第１のゲート線は、
前記第１の画素電極と前記第２の画素電極との間を延伸し、前記第１のトランジスタに接続される第１の配線と、
前記第３の画素電極と前記第２の画素電極との間を延伸し、前記第２のトランジスタに接続される第２の配線と、
前記第１の配線と前記第２の配線とを接続する第３の配線と、
を含む、
請求項３に記載の液晶表示装置。
【請求項６】
前記第１の画素電極は、第１の色を有するカラーフィルタと平面視で重畳し、
前記第２の画素電極は、第２の色を有するカラーフィルタと平面視で重畳し、
前記第３の画素電極は、第３の色を有するカラーフィルタと平面視で重畳し、
前記第１の色と、前記第２の色と、前記第３の色とは、相互に異なる、
請求項３に記載の液晶表示装置。
【請求項７】
前記第１の画素電極、前記第２の画素電極、及び前記第３の画素電極、を含む複数の画素電極が、前記第１方向に配列された第１の画素電極列と、
前記第１の方向に配列された複数の画素電極を含み、前記第２の方向において前記第１の画素電極列と隣接して配置された第２の画素電極列と、を更に含み、
前記第１の画素電極列と、前記第２の画素電極列との間に、前記第１のデータ線と、前記第２のデータ線と、前記第３のデータ線とが配置されている、
請求項３に記載の液晶表示装置。
【請求項８】
前記第２のデータ線は、前記第１のデータ線と前記第３のデータ線との間に配置されている、
請求項７に記載の液晶表示装置。
【請求項９】
前記第１の方向において、前記第１の画素電極と前記第２の画素電極との間に配置され、前記第１の画素電極および前記第２の画素電極と隣接する第３の画素電極と、
前記第３の画素電極に接続された第３のトランジスタと、
前記第３のトランジスタに電気的に接続される第２のゲート線と、
を更に含む、
請求項１に記載の液晶表示装置。
【請求項１０】
前記第２の方向において、前記第３の画素電極の隣に配置された第４の画素電極と、
前記第２の方向において、前記第１の画素電極の隣に配置された第５の画素電極と、
前記第２の方向において、前記第２の画素電極の隣に配置された第６の画素電極と、
前記第４の画素電極に接続された第４のトランジスタと、
前記第５の画素電極に接続された第５のトランジスタと、
前記第６の画素電極に接続された第６のトランジスタと、
を更に含み、
前記第１のゲート線は、前記第４のトランジスタ、第５のトランジスタおよび第６のトランジスタのうち、いずれか一つと電気的に接続される、
請求項９に記載の液晶表示装置。
【請求項１１】
前記第２のゲート線は、前記第４のトランジスタ、第５のトランジスタおよび第６のトランジスタのうち、他の二つと電気的に接続される、
請求項１０に記載の液晶表示装置。
【請求項１２】
前記第１の画素電極および前記第５の画素電極は、第１の色を有するカラーフィルタと平面視で重畳し、
前記第２の画素電極および前記第６の画素電極は、第２の色を有するカラーフィルタと平面視で重畳し、
前記第３の画素電極および前記第４の画素電極は、第３の色を有するカラーフィルタと平面視で重畳し、
前記第１の色と、前記第２の色と、前記第３の色とは、相互に異なる、
請求項１０に記載の液晶表示装置。
【請求項１３】
前記第１の方向に延伸する第２のデータ線と、第３のデータ線と、を更に含み、
前記第２のデータ線は、前記第１のデータ線と、前記第３のデータ線との間に配置され、
前記第２のデータ線は、前記第１のトランジスタ、第２のトランジスタおよび第３のトランジスタのうち、いずれか一つと電気的に接続され、前記第４のトランジスタ、第５のトランジスタおよび第６のトランジスタのうち、いずれか一つと電気的に接続される、
請求項１１に記載の液晶表示装置。
【請求項１４】
前記第１のデータ線は、前記第１のトランジスタ、第２のトランジスタ、および第３のトランジスタのうち、他の二つと電気的に接続され、前記第３のデータ線は、前記第４のトランジスタ、第５のトランジスタおよび第６のトランジスタのうち、他の二つと電気的に接続される、
請求項１３に記載の液晶表示装置。
【請求項１５】
前記第１の方向に、前記第１の画素電極、前記第２の画素電極と並べて配置された、第３の画素電極と、
前記第３の画素電極に接続された第３のトランジスタと、
を更に含み、
前記第２の画素電極は、前記第１の画素電極と前記第３の画素電極との間に配置され、前記第１の画素電極および前記第３の画素電極と隣接し、
前記第１のデータ線が、前記第１のトランジスタ、前記第３のトランジスタに接続された、
請求項１に記載の液晶表示装置。
【請求項１６】
前記第１の方向に、前記第１の画素電極、前記第２の画素電極、及び前記第３の画素電極と並べて配置された、第４の画素電極と、
前記第４の画素電極に接続された第４のトランジスタと、
前記第３のトランジスタと前記第４のトランジスタとに電気的に接続される第２のゲート線と、
前記第１の方向に延伸する第２のデータ線と、
を更に含み、
前記第３の画素電極は、前記第２の画素電極と前記第４の画素電極との間に配置され、前記第２の画素電極および前記第４の画素電極と隣接し、
前記第２のデータ線が、前記第２のトランジスタ、前記第４のトランジスタに接続された、
請求項１５に記載の液晶表示装置。
【請求項１７】
前記第１の方向に、前記第１の画素電極、前記第２の画素電極、前記第３の画素電極、前記第４の画素電極と並べて配置された、第５の画素電極、及び第６の画素電極と、
前記第５の画素電極に接続された第５のトランジスタと、
前記第６の画素電極に接続された第６のトランジスタと、
前記第５のトランジスタと前記第６のトランジスタとに電気的に接続される第３のゲート線と、
を更に含み、
前記第４の画素電極は、前記第３の画素電極と前記第５の画素電極との間に配置され、前記第３の画素電極および前記第５の画素電極と隣接し、
前記第５の画素電極は、前記第４の画素電極と前記第６の画素電極との間に配置され、前記第４の画素電極および前記第６の画素電極と隣接し、
前記第１のデータ線が、前記第５のトランジスタに接続され、
前記第２のデータ線が、前記第６のトランジスタに接続された、
請求項１６に記載の液晶表示装置。
【請求項１８】
前記第１の画素電極および前記第４の画素電極は、第１の色を有するカラーフィルタと平面視で重畳し、
前記第２の画素電極および前記第５の画素電極は、第２の色を有するカラーフィルタと平面視で重畳し、
前記第３の画素電極および前記第６の画素電極は、第３の色を有するカラーフィルタと平面視で重畳し、
前記第１の色と、前記第２の色と、前記第３の色とは、相互に異なる、
請求項１７に記載の液晶表示装置。
【請求項１９】
前記第１の画素電極、前記第２の画素電極、前記第３の画素電極、前記第４の画素電極、前記第５の画素電極、及び前記第６の画素電極を含む、複数の画素電極が前記第１方向に配列された第１の画素電極列と、
前記第１の方向に配列された複数の画素電極を含み、前記第２の方向において前記第１の画素電極列と隣接して配置された第２の画素電極列と、を更に含み、
前記第１の画素電極列と、前記第２の画素電極列との間に、前記第１のデータ線と、前記第２のデータ線とが配置されている、
請求項１７に記載の液晶表示装置。
【請求項２０】
前記第１の画素電極、前記第２の画素電極、前記第３の画素電極、前記第４の画素電極、前記第５の画素電極、及び前記第６の画素電極を含む、複数の画素電極が前記第１方向に配列された第１の画素電極列と、
前記第１の方向に配列された複数の画素電極を含み、前記第２の方向において前記第１の画素電極列と隣接して配置された第２の画素電極列、第３の画素電極列と、
を更に含み、
前記第１の画素電極列が、前記第２の画素電極列と前記第３の画素電極列との間に配置され、
前記第１のデータ線は、前記第１の画素電極列と前記第２の画素電極列との間に配置され、前記第２のデータ線は、前記第１の画素電極列と前記第３の画素電極列との間に配置されている、
請求項１７に記載の液晶表示装置。
【請求項２１】
液晶層を更に含み、
前記液晶層が、正の誘電率異方性を有する液晶分子を含む、
請求項１乃至２０のいずれか一つに記載の液晶表示装置。
【請求項２２】
前記液晶分子の長軸方向が前記第２の方向に配向された、
請求項２１に記載の液晶表示装置。
【発明の詳細な説明】
【技術分野】
【０００１】
本発明は、液晶表示装置に関する。
【背景技術】
【０００２】
各種の液晶表示装置のうち横電界方式の液晶表示装置は、広視野角特性に優れているという利点がある。横電界方式の液晶表示装置は、例えば、液晶層を介して対向配置される一対の基板のうち一方の基板に画素電極と共通電極とを備え、画素電極と共通電極との間に、基板面に平行な方向の電界（横電界）を発生させて、横電界を液晶に印加して液晶を駆動させることにより、液晶層を透過する光の量を制御して画像表示を行う。横電界方式には、例えば、ＩＰＳ（In Plane Switching）方式やＦＦＳ（Fringe Field Switching）方式がある。
【０００３】
例えば、下記特許文献１においては、このような横電界方式の液晶表示装置において、データ信号が送信されるソース線に沿った長辺と、このソース線に直交する短辺と、を有する画素電極が用いられており、当該画素電極には複数のスリットが設けられている。当該スリットは短辺方向に延伸する構成が開示されている。
【先行技術文献】
【特許文献】
【０００４】
【特許文献１】特開２００８−１８０９２８号公報
【発明の概要】
【発明が解決しようとする課題】
【０００５】
上記構成においては、開口率が低いことが課題となっていた。即ち、上記従来の構成においては、スリットの端部に配置された液晶に対して電界がかりにくく、スリット端部における透過率が低下する。このようなスリット端部が、画素電極における長辺領域に配置されるため、画素全体としての開口率が低くなってしまっていた。
【０００６】
本発明は、上記問題点に鑑みてなされたものであり、その目的は、横電界方式の液晶表示装置において、開口率を向上させることにある。
【課題を解決するための手段】
【０００７】
上記課題を解決するために、本開示に係る液晶表示装置は、第１の方向に延伸する第１のデータ線と、前記第１の方向に並べて配置された第１の画素電極と、第２の画素電極と、前記第１の画素電極に接続された第１のトランジスタと、前記第２の画素電極に接続された第２のトランジスタと、前記第１のトランジスタと前記第２のトランジスタとに電気的に接続される第１のゲート線と、を含み、前記第１の画素電極は、前記第１の方向に沿う第１の長さが、前記第１の方向と垂直方向の第２の方向に沿う第２の長さよりも短く、前記第１の画素電極は、少なくとも１のスリットを有し、前記スリットは、前記第２の方向に対して、４５度以下の角度方向に延伸する。
【発明の効果】
【０００８】
本開示に係る液晶表示装置によれば、横電界方式の液晶表示装置において、開口率を向上させることができる。
【図面の簡単な説明】
【０００９】
【図１】図１は第１の実施形態に係る液晶表示装置の概略構成を示す平面図である。
【図２】図２は第１の実施形態に係る表示パネルの一部の構成を示す平面図である。
【図３】図３は図２のＡ−Ａ´線に沿った断面図である。
【図４】図４は第２の実施形態に係る表示パネルの一部の構成を示す平面図である。
【図５】図５は第２の実施形態に係る液晶表示装置の概略構成を示す平面図である。
【図６】図６は第３の実施形態に係る表示パネルの一部の構成を示す平面図である。
【図７】図７は第３の実施形態に係る液晶表示装置の概略構成を示す平面図である。
【発明を実施するための形態】
【００１０】
［第１の実施形態］
以下、第１の実施形態について、図面を用いて説明する。
【００１１】
図１は、本開示の第１の実施形態に係る液晶表示装置ＬＣＤの全体構成を示す平面図である。液晶表示装置ＬＣＤは、画像を表示する表示パネルＤＰと、表示パネルＤＰを駆動する表示パネル用駆動回路（データ線駆動回路３０、ゲート線駆動回路３１）と、表示パネル用駆動回路を制御する制御回路（図示せず）と、表示パネルＤＰに背面側から光を照射するバックライト光を照射するバックライト（図示せず）とを含んでいる。
【００１２】
図２は、本実施形態に係る表示パネルＤＰの一部の構成を示す平面図である。図３は、図２のＡ１−Ａ２線で切断した切断部の端面図である。なお、図２では、３つの画素Ｐを示しており、図３では、１つの画素Ｐを示している。
【００１３】
表示パネルＤＰは、背面側に配置される薄膜トランジスタ基板ＳＵＢ１（以下、ＴＦＴ基板ＳＵＢ１という。）と、表示面側に配置され、ＴＦＴ基板ＳＵＢ１に対向するカラーフィルタ基板ＳＵＢ２（以下、ＣＦ基板ＳＵＢ２という。）と、ＴＦＴ基板ＳＵＢ１及びＣＦ基板ＳＵＢ２の間に挟持される液晶層ＬＣと、を含んでいる。
【００１４】
本実施形態においては、ＴＦＴ基板ＳＵＢ１には、第１の方向に延伸する第１のデータ線ＤＬ１、第２のデータ線ＤＬ２、及び第３のデータ線ＤＬ３が形成されている。第２のデータ線ＤＬ２は、第１のデータ線ＤＬ１と第３のデータ線ＤＬ３との間に配置されている。この第１の方向に第１の画素電極ＰＩＴ１、第２の画素電極ＰＩＴ２、及び第３の画素電極ＰＩＴ３が並べられている。第１の画素電極ＰＩＴ１には、第１のトランジスタＴＦＴ１が接続され、第２の画素電極ＰＩＴ２には、第２のトランジスタＴＦＴ２が接続され、第３の画素電極ＰＩＴ３には、第３のトランジスタＴＦＴ３が接続されている。第１の画素電極ＰＩＴ１が配置された第１の画素Ｐ１は、後述するカラーフィルタＣＦの青色部が平面視で重畳し、第２の画素電極ＰＩＴ２が配置された第２の画素Ｐ２は、カラーフィルタＣＦの緑色部が平面視で重畳し、第３の画素電極ＰＩＴ３が配置された第３の画素Ｐ３は、カラーフィルタＣＦの赤色部が平面視で重畳する。
【００１５】
第１の画素電極ＰＩＴ１、第２の画素電極ＰＩＴ２、及び第３の画素電極ＰＩＴ３は、第１の方向に沿う第１の長さＳ１が、第１の方向に垂直方向の第２の方向に沿う第２の長さＳ２よりも短い構成となっている。第１の画素電極ＰＩＴ１、第２の画素電極ＰＩＴ２、及び第３の画素電極ＰＩＴ３は、それぞれスリット３２を有しており、当該スリット３２は、第２の方向に対して、７度の角度方向に延伸している。スリット３２の延伸方向はこれに限定されない。すなわち、スリット３２の延伸方向と、前記第２の方向との交差角度の内の鋭角θが、０度以上４５度以下であれば良く、更には、当該鋭角θが、７度以上１５度以下であることが好ましい。
【００１６】
更に、本実施形態においては、ＴＦＴ基板ＳＵＢ１に、第１のゲート線ＧＬ１が形成されている。第１のゲート線ＧＬ１は、第１のトランジスタＴＦＴ１に接続される第１の配線Ｗ１と、第２のトランジスタＴＦＴ２に接続される第２の配線Ｗ２と、第１の配線Ｗ１と第２の配線Ｗ２とを接続する第３の配線Ｗ３とを有している。第１の配線Ｗ１は、第１の画素電極ＰＩＴ１と第２の画素電極ＰＩＴ２との間を延伸し、第２の配線Ｗ２は、第２の画素電極ＰＩＴ２と第３の画素電極ＰＩＴ３との間を延伸しており、第３の配線Ｗ３は、第１の方向に延伸している。このように、一つの第１のゲートＧＬ１が、第１の方向に延伸する配線と、第１の方向に交差する方向に延伸する配線とを有し、第１のトランジスタＴＦＴ１と、第２のトランジスタＴＦＴ２と、を電気的に接続している。
【００１７】
更に、本実施形態においては、第１のゲートラインＧＬ１が、第２の方向に延伸する第４の配線Ｗ４を更に有しており、第４の配線Ｗ４が、第３のトランジスタＴＦＴ３と接続されている。第４の配線Ｗ４は、第３の配線Ｗ３と接続されている。第４の配線Ｗ４は、第３の画素電極ＰＩＴ３に対して第１の方向に隣接して配置された他の画素電極ＰＩＴ（図示せず）と、第３の画素電極ＰＩＴ３と、の間に配置されている。
【００１８】
なお、本実施形態においては、第１のゲートラインＧＬ１が、第１の方向に交差する方向に延伸する複数の配線（第１の配線Ｗ１、第２の配線Ｗ２、及び第４の配線Ｗ４）を有し、各配線が、第１の方向に並べて配置された複数の画素電極ＰＩＴ間にそれぞれ配置される構成を例示する。しかし、第１のゲートラインＧＬ１が、第１のトランジスタＴＦＴ１と、第２のトランジスタＴＦＴ２と、を接続する構成であれば、第２の方向に延伸する配線を１本にする構成としても構わない。ただし、第１の方向に交差する方向に延伸する配線を複数有する構成とすることにより、各配線における抵抗値を下げることができ望ましい。
【００１９】
本実施形態において、第１の方向に延伸する第１のデータ線ＤＬ１、第２のデータ線ＤＬ２、及び第３のデータ線ＤＬ３は、それぞれ異なるトランジスタと接続されている、具体的には、第１のデータ線ＤＬ１は、第１のトランジスタＴＦＴ１と接続され、第２のデータ線ＤＬ２は、第２のトランジスタＴＦＴ２と接続され、第３のデータ線ＤＬ３は、第３のトランジスタＴＦＴ３と接続されている。
【００２０】
また、本実施形態においては、図２に示すように、第２のデータ線ＤＬ２が、第３のトランジスタＴＦＴ３を迂回する蛇行部Ｍを有する構成としている。第２のデータ線ＤＬ２が蛇行部Ｍを有することにより、第１のデータ線ＤＬ１、第２のデータ線ＤＬ２を配置する領域の小面積化が可能となり、表示パネルＤＰ全体としての開口率を上げることが可能となる。
【００２１】
なお、液晶表示装置ＬＣＤにおいて、図２に示した第１の画素電極ＰＩＴ１、第２の画素電極ＰＩＴ２、及び第３の画素電極ＰＩＴ３を含む第１の画素電極列が、更に、第１の方向に配列された複数の画素電極を含んでもよい。また、液晶表示装置ＬＣＤが、第１の方向に配列された複数の画素電極を含み、第２の方向において、第１の画素電極列と隣接して配置された第２の画素電極列を更に含んでもよい。この場合、第１の画素電極列と、第２の画素電極列との間には、上述した第１のデータ線ＤＬ１、第２のデータ線ＤＬ２、及び第３のデータ線ＤＬ３が配置される。
【００２２】
上述した画素電極ＰＩＴは、スズ添加酸化インジウム（ＩＴＯ）等の透光性導電膜を用いて形成することができる。各トランジスタＴＦＴ（第１のトランジスタＴＦＴ１、第２のトランジスタＴＦＴ２、及び第３のトランジスタＴＦＴ３）は、図３に示すゲート絶縁膜ＧＳＮ上に、図２に示す非晶質シリコン（ａ-Ｓｉ）からなる半導体層ＳＥＭが形成され、半導体層ＳＥＭ上にドレイン電極ＤＭ及びソース電極ＳＭが形成されている。ドレイン電極ＤＭは、データ線ＤＬに電気的に接続されている。ソース電極ＳＭと画素電極ＰＩＴとは、コンタクトホールＣＯＮＴを介して互いに電気的に接続されている。
【００２３】
なお、各画素Ｐ（第１の画素Ｐ１、第２の画素Ｐ２、及び第３の画素Ｐ３）を構成する各部の積層構造は、図３の構成に限定されるものではなく、周知の構成を適用することができる。例えば図３に示す構成では、ＴＦＴ基板ＳＵＢ１において、第１のガラス基板ＧＢ１（第１の透光性基板）上にゲート線ＧＬ（図２参照）が形成され、ゲート線ＧＬを覆うようにゲート絶縁膜ＧＳＮが形成されている。また、ゲート絶縁膜ＧＳＮ上にデータ線ＤＬが形成され、データ線ＤＬを覆うように絶縁膜ＰＡＳが形成されている。また、絶縁膜ＰＡＳ上に共通電極ＣＩＴ（表示用電極）が形成され、共通電極ＣＩＴを覆うように上層絶縁膜ＵＰＡＳが形成されている。さらに、上層絶縁膜ＵＰＡＳ上に画素電極ＰＩＴが形成され、画素電極ＰＩＴを覆うように配向膜ＡＦが形成されている。第１のガラス基板ＧＢ１の背面側には、第１の偏光板ＰＯＬ１が形成されている。
【００２４】
また、図３に示すＣＦ基板ＳＵＢ２において、第２のガラス基板ＧＢ２（第２の透光性基板）の下面側にブラックマトリクスＢＭ（遮光部）及びカラーフィルタＣＦ（例えば、赤色部、緑色部、青色部）（光透過部）が形成され、これらを覆うようにオーバコート層ＯＣが形成されている。第２のガラス基板ＧＢ２の表示面側には、第２の偏光板ＰＯＬ２が形成されている。よって、第２のガラス基板ＧＢ２は、第１のガラス基板ＧＢ１と対向して表示面側に位置しているとともに、液晶層ＬＣは、第１のガラス基板ＧＢ１と第２のガラス基板ＧＢ２との間に配置されている。液晶層ＬＣには、正の誘電率異方性を有する液晶分子３０１（ポジ型液晶）を含む。液晶分子３０１は、その長軸方向が、第２の方向と一致するように配向されている。
【００２５】
上記の例では、横電界方式の一例としてＩＰＳ方式を挙げたが、これに限定されない。
また、画素Ｐを構成する各部の積層構造は、上記の構成に限定されない。例えば、画素
電極ＰＩＴ及び共通電極ＣＩＴが櫛歯形状を有し同層に配置されてもよい。
【００２６】
次に、液晶表示装置ＬＣＤの駆動方法を簡単に説明する。ゲート線駆動回路３１から出力された走査用のゲート電圧がゲート線ＧＬに供給され、データ線駆動回路３０から出力された映像用のデータ電圧がデータ線ＤＬに供給される。ゲート線ＧＬにゲートオン電圧が供給されると、薄膜トランジスタＴＦＴの半導体層ＳＥＭが低抵抗となり、データ線ＤＬに供給されたデータ電圧が、ソース電極ＳＭを介して画素電極ＰＩＴに供給される。また、共通電極駆動回路（図示せず）から出力された共通電圧が、共通電極ＣＩＴに供給される。これにより、画素電極ＰＩＴと共通電極ＣＩＴとの間に電界（駆動用電界）が発生し、該電界により液晶層ＬＣが駆動され、画像が表示される。
【００２７】
このような構成により、開口率の向上を実現することができる。まず、各画素電極ＰＩＴは、第１の方向に沿う第１の長さが、第１の方向と垂直方向の第２の方向に沿う第２の長さよりも短い構成としている。即ち、各画素電極ＰＩＴは、第２の方向が長手方向となる形状を有している。そして、各画素電極ＰＩＴに設けられたスリット３２の延伸方向を、長手方向である第２の方向に対して、４５度以下の角度方向とし、電界がかかりにくいスリット３２の端部が、画素電極ＰＩＴの長手方向に並べて配置されない構成としている。本実施形態においては、スリット３２の端部が第１の方向に沿うように配置している。その結果として、一つの画素Ｐ内の開口率を向上させることができる。
【００２８】
また、液晶層ＬＣには、正の誘電率異方性を有する液晶分子３０１（ポジ型液晶）を含み、この液晶分子３０１の長軸方向が、第２の方向と一致するように配向されているため、第２の方向の視野からのコントラストを改善することができる。例えば、第１の方向が縦方向、第２の方向が横方向となるように、本開示の液晶表示装置ＬＣＤを、カーナビゲーション装置におけるディスプレイとして用いた場合を想定する。この場合、このカーナビゲーション装置は、一般的に運転席と助手席との間に配置されるため、横方向の視野からのコントラストが高いことが望まれるが、液晶分子３０１の長軸方向が横方向に配向されているため、この要求を満たすことができる。また、液晶分子３０１としてポジ型液晶を用いているため、広い温度範囲に使用することが可能であり、車載用ディスプレイとしても適しているといえる。
【００２９】
更に、第１の方向が縦方向、第２の方向が横方向となるように本開示の液晶表示装置ＬＣＤを配置した場合、縦方向に各データ線ＤＬが延伸する構成となるため、従来から用いられている一般的な画像用ＩＣ（集積回路）を用いることができ、別途、画像を９０度回転させるような特殊な画像用ＩＣを用いる必要がない。
【００３０】
即ち、上述した構成によれば、特殊な画像用ＩＣを用いる必要がなく、広い温度範囲に使用可能なポジ型液晶を用いることができ、横方向の視野からのコントラストが高く、且つ高い開口率を実現した液晶表示装置ＬＣＤを実現することができる。
【００３１】
［第２の実施形態］
続いて、第２の実施形態について、図面を用いて説明する。なお、第１の実施形態と同様の構成については、その説明を省略する。
【００３２】
図４は、第２の実施形態における表示パネルＤＰの一部の構成を示す平面図である。また、図５は、第２の実施形態に係る液晶表示装置ＬＣＤの概略構成を示す平面図である。
【００３３】
図４、５に示すように、本実施形態においては、ＴＦＴ基板ＳＵＢ１には、第１の方向に延伸する第１のデータ線ＤＬ１、第２のデータ線ＤＬ２、及び第３のデータ線ＤＬ３が形成されている。第２のデータ線ＤＬ２は、第１のデータ線ＤＬ１と第３のデータ線ＤＬ３との間に配置されている。この第１の方向に第１の画素電極ＰＩＴ１、第２の画素電極ＰＩＴ２、及び第３の画素電極ＰＩＴ３が並べられており、第３の画素電極ＰＩＴ３が、第１の画素電極ＰＩＴ１と、第２の画素電極ＰＩＴ２との間に配置されている。即ち、第３の画素電極ＰＩＴ３は、第１の画素電極ＰＩＴ１と第２の画素電極ＰＩＴ２に隣接している。更に、第２の方向において、第３の画素電極ＰＩＴ３の隣に配置された第４の画素電極ＰＩＴ４と、第１の画素電極ＰＩＴ１の隣に配置された第５の画素電極ＰＩＴ５と、第２の画素電極ＰＩＴ２の隣に配置された第６の画素電極ＰＩＴ６とが形成されている。即ち、第４の画素電極ＰＩＴ４が、第５の画素電極ＰＩＴ５と第６の画素電極ＰＩＴ６との間に配置され、第４の画素電極ＰＩＴ４が、第５の画素電極ＰＩＴ５および第６の画素電極ＰＩＴ６と隣接している。
【００３４】
第１の画素電極ＰＩＴ１には、第１のトランジスタＴＦＴ１が接続され、第２の画素電極ＰＩＴ２には、第２のトランジスタＴＦＴ２が接続され、第３の画素電極ＰＩＴ３には、第３のトランジスタＴＦＴ３が接続されている。また、第４の画素電極ＰＩＴ４には、第４のトランジスタＴＦＴ４が接続され、第５の画素電極ＰＩＴ５には、第５のトランジスタＴＦＴ５が接続され、第６の画素電極ＰＩＴ６には、第６のトランジスタＴＦＴ６が接続されている。
【００３５】
本実施形態においては、第１の画素電極ＰＩＴ１、第５の画素電極ＰＩＴ５には、カラーフィルタＣＦの赤色部が平面視で重畳し、第２の画素電極ＰＩＴ２、第６の画素電極ＰＩＴ６には、カラーフィルタＣＦの青色部が平面視で重畳し、第３の画素電極ＰＩＴ３、第４の画素電極ＰＩＴ４には、カラーフィルタＣＦの緑色部が平面視で重畳する。
【００３６】
各画素電極ＰＩＴ（第１の画素電極ＰＩＴ１、第２の画素電極ＰＩＴ２、第３の画素電極ＰＩＴ３、第４の画素電極ＰＩＴ４、第５の画素電極ＰＩＴ５、及び第６の画素電極ＰＩＴ６）は、第１の実施形態における図２を用いて上述したように、第１の方向に沿う第１の長さＳ１が、第１の方向に垂直方向の第２の方向に沿う第２の長さＳ２よりも短い構成となっている。各画素電極ＰＩＴは、それぞれスリット３２を有しており、当該スリット３２は、第２の方向に対して、７度の角度方向に延伸している。スリット３２の延伸方向はこれに限定されない。すなわち、スリット３２の延伸方向と、前記第２の方向との交差角度の内の鋭角θが、０度以上４５度以下であれば良く、更には、当該鋭角θが、７度以上１５度以下であることが好ましい。
【００３７】
本実施形態においては、ＴＦＴ基板ＳＵＢ１に形成された第１のゲート線ＧＬ１が、第１のトランジスタＴＦＴ１、第２のトランジスタＴＦＴ２、及び第４のトランジスタＴＦＴ４に接続されている。また、第２のゲート線ＧＬ２が、第３のトランジスタＴＦＴ３、第５のトランジスタＴＦＴ５、及び第６のトランジスタＴＦＴ６に接続されている。
【００３８】
また、本実施形態においては、第１のトランジスタＴＦＴ１と第５のトランジスタＴＦＴ５とが、第１の画素電極ＰＩＴ１と第５の画素電極ＰＩＴ５との間に配置されている。同様に、第２のトランジスタＴＦＴ２と第６のトランジスタＴＦＴ６とが、第２の画素電極ＰＩＴ２と第６の画素電極ＰＩＴ６の間に配置され、第３のトランジスタと第４のトランジスタとが、第３の画素電極ＰＩＴ３と第４の画素電極ＰＩＴ４との間に配置されている。
【００３９】
本実施形態においては、第１のデータ線ＤＬ１と第３のデータ線ＤＬ３との間に配置された第２のデータ線ＤＬ２は、第１のトランジスタＰＩＴ１、第２のトランジスタＰＩＴ２、及び第３のトランジスタＰＩＴ３の内のいずれか一つと電気的に接続されるとともに、第４のトランジスタＰＩＴ４、第５のトランジスタＰＩＴ５、及び第６のトランジスタＰＩＴ６の内のいずれか一つと電気的に接続される。また、第１のデータ線ＤＬ１は、第１のトランジスタＰＩＴ１、第２のトランジスタＰＩＴ２、及び第３のトランジスタＰＩＴ３の内、第２のデータ線ＤＬ２に接続されていない２つと接続される。第３のデータ線ＤＬ３は、第４のトランジスタＰＩＴ４、第５のトランジスタＰＩＴ５、及び第６のトランジスタＰＩＴ６の内、第２のデータ線ＤＬ２に接続されていない２つと接続される。
【００４０】
図４に示す例においては、第１のデータ線ＤＬ１は、第１のトランジスタＴＦＴ１、第３のトランジスタＴＦＴ３に接続されている。第２のデータ線ＤＬ２が、第２のトランジスタＴＦＴ２、第５のトランジスタＴＦＴ５に接続されている。第３のデータ線ＤＬ３が、第４のトランジスタＴＦＴ４、第６のトランジスタＴＦＴ６に接続されている。第１のデータ線ＤＬ１、第２のデータ線ＤＬ２、及び第３のデータ線ＤＬ３は、それぞれ直線状に配置されており、３本のデータ線ＤＬ間のスペースに、６つの画素電極ＰＩＴを集約して配置している。
【００４１】
このような構成により、第１の実施形態において上述した効果に加え、以下の効果を得ることができる。
【００４２】
まず、３本のデータ線ＤＬを用いて、その両脇に配置された６つの画素電極ＰＩＴに接続された６つのトランジスタＴＦＴ（第１のトランジスタＴＦＴ１、第２のトランジスタＴＦＴ２、第３のトランジスタＴＦＴ３、第４のトランジスタＴＦＴ４、第５のトランジスタＴＦＴ５、及び第６のトランジスタＴＦＴ６）に対して画像データ信号を書き込む構成を実現することができるため、第１の実施形態と比較してデータ線ＤＬの本数を半数にすることができる。その結果、比較的高価なデータ線駆動回路３０の数を減らすことに繋がり、低コスト化を実現することができる。
【００４３】
更に、３本のデータ線ＤＬ間のスペースを生かして、６つの画素電極ＰＩＴを集約して配置することができるため、表示パネルＤＰ全体としての高い開口率を保ちつつ、３本のデータ線ＤＬの直線状に配置することを実現することができる。その結果として、第１の実施形態において示した蛇行部Ｍを設ける必要がなく、データ線ＤＬとシールド電極との間の寄生容量を、各画素Ｐ間において容易に揃えることが可能となる。
【００４４】
［第３の実施形態］
続いて、第３の実施形態について、図面を用いて説明する。なお、第１の実施形態、第２の実施形態と同様の構成については、その説明を省略する。
【００４５】
図６は、第３の実施形態に係る表示パネルＤＰの一部の構成を示す平面図である。また、図７は、第３の実施形態に係る液晶表示装置ＬＣＤの概略構成を示す平面図である。
【００４６】
図６、７に示すように、本実施形態においては、ＴＦＴ基板ＳＵＢ１には、第１の方向に延伸する第１のデータ線ＤＬ１、第２のデータ線ＤＬ２が形成されている。この第１の方向に、第１の画素電極ＰＩＴ１、第２の画素電極ＰＩＴ２、第３の画素電極ＰＩＴ３、第４の画素電極ＰＩＴ４、第５の画素電極ＰＩＴ５、及び第６の画素電極ＰＩＴ６が、順に並べられている。即ち、第２の画素電極ＰＩＴ２は、第１の画素電極ＰＩＴ１と第３の画素電極ＰＩＴ３との間に配置され、第１の画素電極ＰＩＴ１および第３の画素電極ＰＩＴ３と隣接している。第３の画素電極ＰＩＴ３は、第２の画素電極ＰＩＴ２と第４の画素電極ＰＩＴ４との間に配置され、第２の画素電極ＰＩＴ２および第４の画素電極ＰＩＴ４と隣接している。第４の画素電極ＰＩＴ４は、第３の画素電極ＰＩＴ３と第５の画素電極ＰＩＴ５との間に配置され、第３の画素電極ＰＩＴ３および第５の画素電極ＰＩＴ５と隣接する。第５の画素電極ＰＩＴ５は、第４の画素電極ＰＩＴ４と第６の画素電極ＰＩＴ６との間に配置され、第４の画素電極ＰＩＴ４および第６の画素電極ＰＩＴ６と隣接する。
【００４７】
第１の画素電極ＰＩＴ１には、第１のトランジスタＴＦＴ１が接続され、第２の画素電極ＰＩＴ２には、第２のトランジスタＴＦＴ２が接続され、第３の画素電極ＰＩＴ３には、第３のトランジスタＴＦＴ３が接続されている。また、第４の画素電極ＰＩＴ４には、第４のトランジスタＴＦＴ４が接続され、第５の画素電極ＰＩＴ５には、第５のトランジスタＴＦＴ５が接続され、第６の画素電極ＰＩＴ６には、第６のトランジスタＴＦＴ６が接続されている。
【００４８】
本実施形態においては、第１の画素電極ＰＩＴ１、第４の画素電極ＰＩＴ４には、カラーフィルタＣＦの赤色部が平面視で重畳し、第２の画素電極ＰＩＴ２、第５の画素電極ＰＩＴ５には、カラーフィルタＣＦの緑色部が平面視で重畳し、第３の画素電極ＰＩＴ３、第６の画素電極ＰＩＴ６には、カラーフィルタＣＦの青色部が平面視で重畳する。
【００４９】
各画素電極ＰＩＴ（第１の画素電極ＰＩＴ１、第２の画素電極ＰＩＴ２、第３の画素電極ＰＩＴ３、第４の画素電極ＰＩＴ４、第５の画素電極ＰＩＴ５、及び第６の画素電極ＰＩＴ６）は、第１の実施形態における図２を用いて上述したように、第１の方向に沿う第１の長さＳ１が、第１の方向に垂直方向の第２の方向に沿う第２の長さＳ２よりも短い構成となっている。各画素電極ＰＩＴは、それぞれスリット３２を有しており、当該スリット３２は、第２の方向に対して、７度の角度方向に延伸している。スリット３２の延伸方向はこれに限定されない。すなわち、スリット３２の延伸方向と、前記第２の方向との交差角度の内の鋭角θが、０度以上４５度以下であれば良く、更には、当該鋭角θが、７度以上１５度以下であることが好ましい。
【００５０】
本実施形態においては、ＴＦＴ基板ＳＵＢ１に形成された第１のゲート線ＧＬ１が、第１のトランジスタＴＦＴ１、第２のトランジスタＴＦＴ２に接続されている。また、第２のゲート線ＧＬ２が、第３のトランジスタＴＦＴ３、第４のトランジスタＴＦＴ４に接続されている。更に、第３のゲート線ＧＬ３が、第５のトランジスタＴＦＴ５、第６のトランジスタＴＦＴ６に接続されている。
【００５１】
なお、第１のトランジスタＴＦＴ１、第２のトランジスタＴＦＴ２に接続された第１のゲート線ＧＬ１は、図６に示すように、第２の方向に延伸している。第２の方向において、第１の画素電極ＰＩＴ１の隣に配置された第７の画素電極ＰＩＴ７は、第７のトランジスタＴＦＴ７と接続され、第２の画素電極ＰＩＴ２の隣に配置された第８の画素電極ＰＩＴ８は、第８のトランジスタＴＦＴ８と接続されている。この第７のトランジスタＴＦＴ７と、第８のトランジスタＴＦＴ８とは、第１のトランジスタＴＦＴ１、及び第２のトランジスタＴＦＴ２から第２の方向に延伸する第１のゲート線ＧＬ１と接続されている。第２のゲート線ＧＬ２、第３のゲート線ＧＬ３も同様に第２の方向に延伸しており、第２の方向に並べて配置された画素電極ＰＩＴのトランジスタＴＦＴと接続される。
【００５２】
第１のデータ線ＤＬ１は、第１のトランジスタＴＦＴ１、第３のトランジスタＴＦＴ３、及び第５のトランジスタＴＦＴ５に接続され、第２のデータ線ＤＬ２は、第２のトランジスタＴＦＴ２、第４のトランジスタＴＦＴ４、及び第６のトランジスタＴＦＴ６に接続されている。なお、第７のトランジスタＴＦＴ７、第８のトランジスタＴＦＴ８は第１のデータ線ＤＬ１、第２のデータ線ＤＬ２と異なるデータ線ＤＬと接続されており、第７のトランジスタＴＦＴ７は第３のデータ線ＤＬ３に、第８のトランジスタＴＦＴ８は第４のデータ線ＤＬ４に接続されている。
【００５３】
なお、液晶表示装置ＬＣＤにおいて、図６に示した第１の画素電極ＰＩＴ１、第２の画素電極ＰＩＴ２、第３の画素電極ＰＩＴ３、第４の画素電極ＰＩＴ４、第５の画素電極ＰＩＴ５、及び第６の画素電極ＰＩＴ６を含む第１の画素電極列が、更に、第１の方向に配列された複数の画素電極を含んでもよい。また、液晶表示装置ＬＣＤにおいて、図６に示した第７の画素電極ＰＩＴ７、第８の画素電極ＰＩＴ８を含む第２の画素電極列が、更に第１の方向に配列された複数の画素電極を含んでもよい。第２の画素電極列は、第２の方向において第１の画素電極列と隣接して配置される。この場合、第１の画素電極列と、第２の画素電極列との間には、上述した第１のデータ線ＤＬ１、第２のデータ線ＤＬ２が配置される。
【００５４】
更に、液晶表示装置ＬＣＤが、第１の方向に配列された複数の画素電極を含み、第２の方向において第１の画素電極列と隣接して配置された第３の画素電極列を更に含んでもよい。そして、第３の画素電極列と第２の画素電極列との間に、第１の画素電極列を配置する構成としてもよい。この場合、上述した第１のデータ線ＤＬ１は、第１の画素電極列と第２の画素電極列の間に配置し、第２のデータ線ＤＬ２は、第１の画素電極列と第３の画素電極列の間に配置する構成としてもよい。
【００５５】
このような構成により、第１の実施形態において上述した効果に加え、以下の効果を得ることができる。
【００５６】
まず、３つの画素電極ＰＩＴ（第１の画素電極ＰＩＴ１、第２の画素電極ＰＩＴ２、及び第３の画素電極ＰＩＴ３）に接続された３つのトランジスタＴＦＴ（第１のトランジスタＴＦＴ１、第２のトランジスタＴＦＴ２、及び第３のトランジスタＴＦＴ３）に対して、２本のデータ線ＤＬ（第１のデータ線ＤＬ１、第２のデータ線ＤＬ２）のみを用いて画像データを書き込む構成を実現することができるため、第１の実施形態と比較してデータ線ＤＬの本数を３分の２に減らすことができる。その結果として、比較的高価なデータ線駆動回路３０の数を減らすことに繋がり、低コスト化を実現することができる。
【００５７】
また、第２の実施形態と比較して、データ線ＤＬの本数を減らしすぎない構成とすることができるため、高解像度が要求される場合にも対応することが可能となる。即ち、第２の実施形態において示した構成では、第１の実施形態において示した構成と比べて、データ線ＤＬの本数を半数となる一方で、ゲート線ＧＬを２倍にする必要がある。その結果、画像データを２倍のスピードで各トランジスタＴＦＴに書き込んでいく必要がある。これに対して、第３の実施形態に示す構成においては、第１の実施形態に示した構成と比べて、データ線ＤＬの本数を３分の２となる一方、ゲート線ＧＬを１．５倍にする必要がある。その結果、画像データを１．５倍のスピードで各トランジスタＴＦＴに書き込んでいくことで足りる。そのため、高解像度が要求される場合にも対応することが可能となる。
【００５８】
など、本実施形態においては、図３に示した通り、画素電極ＰＩＴが共通電極ＣＩＴよりも液晶層ＬＣ側に配置された例を示したが、それに限定されない。すなわち、共通電極ＣＩＴが画素電極ＰＩＴよりも液晶層ＬＣ側に配置された構成であってもよい。その場合、画素電極ＰＩＴにはスリット３２は形成されず、その代わりに共通電極ＣＩＴに、スリットが形成される。共通電極ＣＩＴに形成されるスリットの形状は、本実施形態で示した画素電極ＰＩＴに形成されているスリット３２に平面視で重畳する。
【００５９】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６０】
ＬＣＤ  液晶表示装置、ＤＰ  表示パネル、３０  データ線駆動回路、３１  ゲート線駆動回路、ＤＬ  データ線、ＤＬ１  第１のデータ線、ＤＬ２  第２のデータ線、ＤＬ３  第３のデータ線、ＧＬ  ゲート線、ＧＬ１  第１のゲート線、ＧＬ２  第２のゲート線、ＧＬ３  第３のゲート線、Ｗ１  第１の配線、Ｗ２  第２の配線、Ｗ３  第３の配線、Ｗ４  第４の配線、Ｍ  蛇行部、Ｐ  画素、Ｐ１  第１の画素、Ｐ２  第２の画素、Ｐ３  第３の画素、ＰＩＴ  画素電極、ＰＩＴ１  第１の画素電極、ＰＩＴ２  第２の画素電極、ＰＩＴ３  第３の画素電極、ＰＩＴ４  第４の画素電極、ＰＩＴ５  第５の画素電極、ＰＩＴ６  第６の画素電極、Ｓ１  第１の長さ、Ｓ２  第２の長さ、３２  スリット、ＴＦＴ  トランジスタ、ＴＦＴ１  第１のトランジスタ、ＴＦＴ２  第２のトランジスタ、ＴＦＴ３  第３のトランジスタ、ＴＦＴ４  第４のトランジスタ、ＴＦＴ５  第５のトランジスタ、ＴＦＴ６  第６のトランジスタ、ＳＵＢ１  ＴＦＴ基板、ＳＵＢ２  ＣＦ基板、ＬＣ  液晶層、ＳＭ  ソース電極、ＤＭ  ドレイン電極、ＳＥＭ  半導体層、ＣＯＮＴ  コンタクトホール、ＧＳＮ  ゲート絶縁膜、ＰＡＳ  絶縁膜、ＧＢ１  第１のガラス基板、ＣＩＴ  共通電極、ＡＦ  配向膜、ＵＰＡＳ  上層絶縁膜、ＰＯＬ１  第１の偏光板、ＣＦ  カラーフィルタ、ＢＭ  ブラックマトリクス、ＰＯＬ２  第２の偏光板、３０１  液晶分子。
【図１】
2019144489.tif 000003
【図２】
2019144489.tif 000004
【図３】
2019144489.tif 000005
【図４】
2019144489.tif 000006
【図５】
2019144489.tif 000007
【図６】
2019144489.tif 000008
【図７】
2019144489.tif 000009